(57)【要約】【課題】人体の体組成関連情報としての内臓脂肪量関連情報を高精度に取得することが可能な体組成測定装置、体組成測定方法、および体組成測定方法の補正方法を提供する。【解決手段】体組成測定装置１０は、被測定者の腹部１００に接触する電流供給電極対５１および電圧測定電極対５２、補正抵抗部６０、電流発生部２０、電圧検知部３０、および演算部１１を有する。電圧検知部は３０、補正抵抗部６０の抵抗値を測定するとき人体模擬抵抗７１に発生する電圧を検知する。電圧検知部３０は、電流発生部２０が発生する電流を電流供給電極対５１を介して被測定者の腹部１００に供給することにより電圧測定電極対５２に発生する電圧を検知する。演算部１１は、電圧検知部３０が検知する電圧測定電極対５２に発生する電圧および人体模擬抵抗７１に発生する電圧に基づいて被測定者の体組成関連情報を出力する。【選択図】図１
2014110853.tif 000002
【特許請求の範囲】
【請求項１】
体組成測定装置であって、
前記体組成測定装置は、被測定者の体幹部に接触する電流供給電極対および電圧測定電極対、補正抵抗部に接続する接続部、電流発生部、電圧検知部、および演算部を有し、
前記電圧検知部は、前記補正抵抗部の抵抗値を測定するとき前記補正抵抗部に発生する電圧を検知し、
前記電圧検知部は、前記電流発生部が発生する電流を前記電流供給電極対を介して被測定者の体幹部に供給することにより前記電圧測定電極対に発生する電圧を検知し、
前記演算部は、前記電圧検知部が検知する前記電圧測定電極対に発生する電圧および前記補正抵抗部に発生する電圧に基づいて体組成関連情報を出力する
体組成測定装置。
【請求項２】
体組成測定装置であって、
前記体組成測定装置は、被測定者の体幹部に接触する電流供給電極対および電圧測定電極対、補正抵抗部、電流発生部、電圧検知部、および演算部を有し、
前記電圧検知部は、前記補正抵抗部の抵抗値を測定するとき前記補正抵抗部に発生する電圧を検知し、
前記電圧検知部は、前記電流発生部が発生する電流を前記電流供給電極対を介して被測定者の体幹部に供給することにより前記電圧測定電極対に発生する電圧を検知し、
前記演算部は、前記電圧検知部が検知する前記電圧測定電極対に発生する電圧および前記補正抵抗部に発生する電圧に基づいて体組成関連情報を出力する
体組成測定装置。
【請求項３】
前記演算部は、前記体組成関連情報として内臓脂肪量関連情報を出力する
請求項１または２に記載の体組成測定装置。
【請求項４】
前記体組成測定装置は、切替部および操作部を有し、
前記切替部は、前記操作部からの制御信号に基づいて前記電流発生部が発生する電流を前記電流供給電極対および前記補正抵抗部のいずれか一方に供給し、
前記切替部は、前記操作部からの制御信号に基づいて前記電圧測定電極対および前記補正抵抗部のいずれか一方の電圧を選択して前記電圧検知部に供給する
請求項１〜３のいずれか一項に記載の体組成測定装置。
【請求項５】
前記補正抵抗部は、１つまたは複数の模擬抵抗部を有し、
前記模擬抵抗部は、被測定者の腹部を模擬する人体模擬抵抗と、
前記電流供給電極対と被測定者の腹部との接触を模擬する第１電極接触模擬抵抗および第２電極接触模擬抵抗と、
前記電圧測定電極対と被測定者の腹部との接触を模擬する第３電極接触模擬抵抗および第４電極接触模擬抵抗とを有する
請求項１〜４のいずれか一項に記載の体組成測定装置。
【請求項６】
前記切替部は、第１切替回路および第２切替回路を有し、
前記電流供給電極対は、第１電流供給電極および第２電流供給電極を有し、
前記第１切替回路および前記第２切替回路は、前記電流発生部が発生する電流を入力する共通端子を有し、
前記第１切替回路および前記第２切替回路は、前記電流発生部が発生する電流を出力する第１端子および第２端子を有し、
前記第１切替回路の前記第１端子は、前記第１電流供給電極に第１配線部により接続され、
前記第１切替回路の前記第２端子は、前記第２電流供給電極に第２配線部により接続され、
前記第２切替回路の前記第１端子は、前記第２電流供給電極に第３配線部により接続され、
前記第２切替回路の前記第２端子は、前記第１電流供給電極に第４配線部により接続され、
前記第１配線部と前記第４配線部および前記第２配線部と前記第３配線部はそれぞれ幾何学形状が略対称であり、
前記第１切替回路および第２切替回路は、前記電流発生部が発生する電流を前記第１端子および前記第２端子から交互に出力する
請求項４または５に記載の体組成測定装置。
【請求項７】
前記電流供給電極対および前記電圧測定電極対は、電気的に分離された複数の分離領域を有し、
前記切替部は、前記操作部からの制御信号に基づいて前記電流発生部が発生する電流を前記複数の分離領域のいずれか１つに供給し、
前記切替部は、前記操作部からの制御信号に基づいて前記複数の分離領域のいずれか１つの電圧を選択して前記電圧検知部に供給する
請求項４〜６のいずれか一項に記載の体組成測定装置。
【請求項８】
体組成測定装置を用いる体組成測定方法の補正方法であって、
前記体組成測定装置は、電流供給電極対、電圧測定電極対、および接続部を有し、
前記体組成測定方法の補正方法は、
前記接続部に補正抵抗部を接続する工程と、
前記補正抵抗部の抵抗値を測定する工程と、
前記抵抗値を前記体組成測定方法に反映する工程
を含む体組成測定方法の補正方法。
【請求項９】
体組成測定装置を用いて体組成を測定する体組成測定方法であって、
体組成測定装置は、電流供給電極対、電圧測定電極対、および補正抵抗部を有し、
前記体組成測定方法は、
前記補正抵抗部の抵抗値を測定する工程と、
前記電流供給電極対および前記電圧測定電極対を被測定者の腹部に接触させ前記電圧測定電極対の電圧を測定する工程と、
前記電圧測定電極対の電圧および前記抵抗値に基づいて体組成関連情報を出力する工程
を含む体組成測定方法。
【請求項１０】
前記体組成測定方法は、前記体組成関連情報として内臓脂肪量関連情報を出力する
請求項９に記載の体組成測定方法。
【発明の詳細な説明】
【技術分野】
【０００１】
本発明は、人体の組成を測定する体組成測定装置、体組成測定方法、および体組成測定方法の補正方法に関する。
【背景技術】
【０００２】
体組成の１つであり、体内に蓄積される内臓脂肪は、糖尿病や高血圧などの生活習慣病に深く関連している。このため。内臓脂肪量を定期的にチェックすることは、健康管理のうえで重要とされている。内臓脂肪量は、ＣＴスキャンを用いた腹部の断面像撮影により精度良く測定可能であるが、ＣＴスキャンによる撮影は放射線量が多く、頻繁に測定する装置としては適さない。特許文献１は、内臓脂肪量を電気的なインピーダンス法により測定する技術を開示している。
【先行技術文献】
【特許文献】
【０００３】
【特許文献１】特開２００７−１５１６１９号公報
【発明の概要】
【発明が解決しようとする課題】
【０００４】
内臓脂肪量は、被測定者の腹部の人体抵抗値から推定することができる。内臓脂肪量測定装置は、被測定者の胴部外周に配置する電流印加用電極対および電圧測定用電極対により人体抵抗値を測定する。内臓脂肪量測定装置は、皮下脂肪厚測定手段で測定した皮下脂肪厚に基づいて内臓脂肪量を補正する。内臓脂肪量測定用に使用される人体の腹部での人体抵抗値は０．５Ω〜５Ω程度の小さな値である。この人体抵抗値に比べ、腹部に接触させる電極の接触抵抗は、５０Ω〜２００Ω程度であり、約２桁大きな値となる。また、接触抵抗は、電流印加用電極対および電圧測定用電極対と人体との接触の状態に応じてその値が大きく変化する。このため、人体の腹部のインピーダンス測定は、接触抵抗の影響を抑制して微小な抵抗値を精度良く測定する必要がある。このため、人体の腹部のインピーダンス測定を用いた内臓脂肪量測定は、測定誤差を小さくする点において改善の余地がある。
【０００５】
本発明は、以上の背景をもとに創作されたものであり、人体の体組成関連情報としての内臓脂肪量を高精度に測定することが可能な体組成測定装置、体組成測定方法、および体組成測定方法の補正方法を提供することを目的とする。
【課題を解決するための手段】
【０００６】
（１）第１の手段は、「体組成測定装置であって、前記体組成測定装置は、被測定者の体幹部に接触する電流供給電極対および電圧測定電極対、補正抵抗部に接続する接続部、電流発生部、電圧検知部、および演算部を有し、前記電圧検知部は、前記補正抵抗部の抵抗値を測定するとき前記補正抵抗部に発生する電圧を検知し、前記電圧検知部は、前記電流発生部が発生する電流を前記電流供給電極対を介して被測定者の体幹部に供給することにより前記電圧測定電極対に発生する電圧を検知し、前記演算部は、前記電圧検知部が検知する前記電圧測定電極対に発生する電圧および前記補正抵抗部に発生する電圧に基づいて体組成関連情報を出力する体組成測定装置」を含む。
【０００７】
体組成測定装置は、電流発生部、電圧検知部、演算部、電流供給電極対、電圧測定電極対、および補正抵抗部に接続する接続部を有する。体組成測定装置の接続部は、補正抵抗部との接続および切離しが可能な構成とされる。この構成によれば、体組成測定装置は、接続部に補正抵抗部を接続することにより、被測定者の人体抵抗測定に用いる回路ブロックおよび測定経路を用いて補正抵抗部が有する抵抗を測定することができる。このため、体組成測定装置は、被測定者の人体抵抗測定に用いる回路ブロックおよび測定経路の特性ばらつきおよび特性変動を確認することができる。このため、体組成測定装置は、体組成測定方法に補正抵抗部が有する抵抗の測定結果を被測定者の体組成測定方法に反映することができる。また、体組成測定装置は、接続部から補正抵抗部を切離すことにより、簡単な構成で被測定者の内臓脂肪量を測定することができる。また、体組成測定装置は、補正抵抗部が有する抵抗の測定結果が反映され体組成測定方法を用いて、簡単な構成で被測定者の内臓脂肪量の測定を高精度に推測することができる。
【０００８】
（２）第２の手段は、「体組成測定装置であって、前記体組成測定装置は、被測定者の体幹部に接触する電流供給電極対および電圧測定電極対、補正抵抗部、電流発生部、電圧検知部、および演算部を有し、前記電圧検知部は、前記補正抵抗部の抵抗値を測定するとき前記補正抵抗部に発生する電圧を検知し、前記電圧検知部は、前記電流発生部が発生する電流を前記電流供給電極対を介して被測定者の体幹部に供給することにより前記電圧測定電極対に発生する電圧を検知し、前記演算部は、前記電圧検知部が検知する前記電圧測定電極対に発生する電圧および前記補正抵抗部に発生する電圧に基づいて体組成関連情報を出力する体組成測定装置」を含む。
【０００９】
（３）第３の手段は、「前記演算部は、前記体組成関連情報として内臓脂肪量関連情報を出力する体組成測定装置」を含む。
（４）第４の手段は、「前記体組成測定装置は、切替部および操作部を有し、前記切替部は、前記操作部からの制御信号に基づいて前記電流発生部が発生する電流を前記電流供給電極対および前記補正抵抗部のいずれか一方に供給し、前記切替部は、前記操作部からの制御信号に基づいて前記電圧測定電極対および前記補正抵抗部のいずれか一方の電圧を選択して前記電圧検知部に供給する体組成測定装置」を含む。
【００１０】
（５）第５の手段は、「前記補正抵抗部は、１つまたは複数の模擬抵抗部を有し、前記模擬抵抗部は、被測定者の腹部を模擬する人体模擬抵抗と、前記電流供給電極対と被測定者の腹部との接触を模擬する第１電極接触模擬抵抗および第２電極接触模擬抵抗と、前記電圧測定電極対と被測定者の腹部との接触を模擬する第３電極接触模擬抵抗および第４電極接触模擬抵抗とを有する体組成測定装置」を含む。
【００１１】
（６）第６の手段は、「前記切替部は、第１切替回路および第２切替回路を有し、前記電流供給電極対は、第１電流供給電極および第２電流供給電極を有し、前記第１切替回路および前記第２切替回路は、前記電流発生部が発生する電流を入力する共通端子を有し、前記第１切替回路および前記第２切替回路は、前記電流発生部が発生する電流を出力する第１端子および第２端子を有し、前記第１切替回路の前記第１端子は、前記第１電流供給電極に第１配線部により接続され、前記第１切替回路の前記第２端子は、前記第２電流供給電極に第２配線部により接続され、前記第２切替回路の前記第１端子は、前記第２電流供給電極に第３配線部により接続され、前記第２切替回路の前記第２端子は、前記第１電流供給電極に第４配線部により接続され、前記第１配線部と前記第４配線部および前記第２配線部と前記第３配線部はそれぞれ幾何学形状が略対称であり、前記第１切替回路および第２切替回路は、前記電流発生部が発生する電流を前記第１端子および前記第２端子から交互に出力する体組成測定装置」を含む。
【００１２】
（７）第７の手段は、「前記電流供給電極対および前記電圧測定電極対は、電気的に分離された複数の分離領域を有し、前記切替部は、前記操作部からの制御信号に基づいて前記電流発生部が発生する電流を前記複数の分離領域のいずれか１つに供給し、前記切替部は、前記操作部からの制御信号に基づいて前記複数の分離領域のいずれか１つの電圧を選択して前記電圧検知部に供給する体組成測定装」を含む。
【００１３】
（８）第８の手段は、「体組成測定装置を用いる体組成測定方法の補正方法であって、前記体組成測定装置は、電流供給電極対、電圧測定電極対、および接続部を有し、前記体組成測定方法の補正方法は、前記接続部に補正抵抗部を接続する工程と、前記補正抵抗部の抵抗値を測定する工程と、前記抵抗値を前記体組成測定方法に反映する工程を含む体組成測定方法の補正方法」を含む。
【００１４】
（９）第９の手段は、「体組成測定装置を用いて体組成を測定する体組成測定方法であって、体組成測定装置は、電流供給電極対、電圧測定電極対、および補正抵抗部を有し、前記体組成測定方法は、前記補正抵抗部の抵抗値を測定する工程と、前記電流供給電極対および前記電圧測定電極対を被測定者の腹部に接触させ前記電圧測定電極対の電圧を測定する工程と、前記電圧測定電極対の電圧および前記抵抗値に基づいて体組成関連情報を出力する工程を含む体組成測定方法」を含む。
【００１５】
（１０）第１０の手段は、「前記体組成測定方法は、前記体組成関連情報として内臓脂肪量関連情報を出力する体組成測定方法」を含む。
【発明の効果】
【００１６】
本体組成測定装置、本体組成測定方法、および本体組成測定方法の補正方法は、人体の組成の一つである内臓脂肪量を高精度に測定することに貢献する。
【図面の簡単な説明】
【００１７】
【図１】第１実施形態の体組成測定装置におけるブロック構成図。
【図２】第１実施形態の体組成測定装置における内臓脂肪量測定フロー。
【図３】第２実施形態の体組成測定装置におけるブロック構成図。
【図４】第２実施形態の体組成測定装置における測定回路ブロックおよび測定径路の特性ばらつきおよび特性変動のグラフ。
【図５】第３実施形態の体組成測定装置におけるブロック構成図。
【図６】第３実施形態の体組成測定装置における処理フローであり、（ａ）は体組成測定方法の補正フロー、（ｂ）は体組成の測定フロー。
【図７】第４実施形態の体組成測定装置におけるブロック構成図。
【図８】第４実施形態の体組成測定装置の概略構成図。
【図９】第４実施形態の体組成測定装置に関する図であり、（ａ）はブロック構成図、（ｂ）は電極部の等価回路図。
【発明を実施するための形態】
【００１８】
（第１実施形態）
図１を参照して、体組成測定装置１０のブロック構成について説明する。
内臓脂肪量を測定する体組成測定装置１０は、電流発生部２０、電圧検知部３０、演算部１１、操作部１２、表示部１３、およびバス１４を有する。電流発生部２０は、クロック発生回路２１および電流供給回路２２を有する。電圧検知部３０は、増幅回路３１およびＡＤ変換部３２を有する。演算部１１は、例えば、マイクロコントローラを用いて構成され、演算機能と制御機能を合わせ持つ。
【００１９】
電流発生部２０のクロック発生回路２１は、演算部１１からバス１４を介して与えられる制御信号に基づいて所定周波数のクロック信号を発生する。電流供給回路２２は、クロック発生回路２１が発生するクロック信号を受けて、被測定者の内臓脂肪量測定部へ供給する交流電流を発生する。電圧検知部３０の増幅回路３１は、被測定者の内臓脂肪量測定部で測定された微小な電圧を増幅する。ＡＤ変換部３２は、増幅回路３１の出力を整流および平滑化した後にディジタル信号に変換する。ＡＤ変換部３２は、ディジタル信号出力をバス１４を介して演算部１１に供給する。操作部１２は、被測定者が体組成測定装置１０を用いて体組成の測定を行うときに操作する複数の操作スイッチを備えている。
【００２０】
体組成測定装置１０は、切替部４０、電極部５０、および補正抵抗部６０を有する。切替部４０は、第１切替回路４０Ａ、第２切替回路４０Ｂ、第３切替回路４０Ｃ、および第４切替回路４０Ｄを有する。電極部５０は、電流供給電極対５１および電圧測定電極対５２を有する。電流供給電極対５１は、第１電流供給電極５１Ａおよび第２電流供給電極５１Ｂを有する。電圧測定電極対５２は、第１電圧測定電極５２Ａおよび第２電圧測定電極５２Ｂを有する。補正抵抗部６０は、模擬抵抗部７０を有する。模擬抵抗部７０は、人体模擬抵抗７１、第１電極接触模擬抵抗７２、第２電極接触模擬抵抗７５、第３電極接触模擬抵抗７３、および第４電極接触模擬抵抗７４を有する。
【００２１】
切替部４０の第１切替回路４０Ａ、第２切替回路４０Ｂ、第３切替回路４０Ｃ、および第４切替回路４０Ｄは、制御端子（ｓ）に入力される制御信号のレベルに応じて共通端子（ｙ）を第１端子（ａ）または第２端子（ｂ）のいずれか一方に接続する。演算部１１および操作部１２は、第１切替回路４０Ａ、第２切替回路４０Ｂ、第３切替回路４０Ｃ、および第４切替回路４０Ｄの制御端子（ｓ）に対する制御信号を出力する。第１切替回路４０Ａおよび第２切替回路４０Ｂは、操作部１２の出力信号に応じて、電流供給回路２２から供給される交流電流を電流供給電極対５１、または第１電極接触模擬抵抗７２および第２電極接触模擬抵抗７５のいずれか一方に与える。第３切替回路４０Ｃおよび第４切替回路４０Ｄは、操作部１２の出力信号に応じて、電圧測定電極対５２の電圧、または第３電極接触模擬抵抗７３および第４電極接触模擬抵抗７４の電圧のいずれか一方を選択して電圧検知部３０の増幅回路３１へ入力する。つまり、切替部４０は、演算部１１および操作部１２からの制御信号に応じて電極部５０および補正抵抗部６０のいずれか一方を選択する。
【００２２】
電極部５０の電流供給電極対５１および電圧測定電極対５２は、体組成測定装置１０を用いて被測定者の内臓脂肪量の測定を行うとき、被測定者の体幹部に接触される。電極部５０の電流供給電極対５１および電圧測定電極対５２は、被測定者の体幹部における腹部１００の例えば、外周部の位置（Ｐ１）、（Ｐ２）、（Ｐ３）、および（Ｐ４）で示される箇所に接触される。腹部１００は、被測定者の腹部の横断面を示しており、臍１０１を有する。
【００２３】
体組成測定装置１０の動作について説明する。
切替部４０が電極部５０を選択するとき、電流供給回路２２が発生する交流電流は、第１切替回路４０Ａ、第２切替回路４０Ｂ、および電流供給電極対５１を通って被測定者の腹部１００の位置（Ｐ１）および（Ｐ２）間に供給される。被測定者の腹部１００の位置（Ｐ３）および（Ｐ４）に発生する電圧は、電圧測定電極対５２、第３切替回路４０Ｃ、および第４切替回路４０Ｄを通って、増幅回路３１に入力される。増幅回路３１により増幅された電圧出力は、ＡＤ変換部３２でディジタル信号に変換されて演算部１１に供給される。ＡＤ変換部３２の出力は、被測定者の腹部１００の位置（Ｐ１）および（Ｐ２）間の人体抵抗値を４端子法により求めた値に相当する。
【００２４】
被測定者の腹部１００の位置（Ｐ１）および（Ｐ２）間の測定した人体抵抗値に基づいて内臓脂肪量を推定するとき、測定に用いる回路ブロックおよび測定経路の特性ばらつきおよび特性変動を考慮することにより推定精度を向上させることができる。
【００２５】
体組成測定装置１０は、測定に用いる回路ブロックおよび測定経路を用いて基準となる抵抗値を測定することで特性ばらつきおよび特性変動を確認する。模擬抵抗部７０の人体模擬抵抗７１は、高精度であり、かつ温度依存性および電圧依存性の極めて小さな抵抗体で形成される。つまり、人体模擬抵抗７１の抵抗値は、基準値と見なすことができる。
【００２６】
切替部４０が補正抵抗部６０を選択するとき、電流供給回路２２が発生する交流電流は、第１切替回路４０Ａ、第２切替回路４０Ｂ、第１電極接触模擬抵抗７２、および第２電極接触模擬抵抗７５を通って人体模擬抵抗７１に供給される。人体模擬抵抗７１の両端に発生する電圧は、第３電極接触模擬抵抗７３、第４電極接触模擬抵抗７４、第３切替回路４０Ｃ、および第４切替回路４０Ｄを通って、増幅回路３１に入力される。増幅回路３１の出力は、ＡＤ変換部３２でディジタル信号に変換されて演算部１１に与えられる。演算部１１は、入力されたディジタル信号の値から人体模擬抵抗７１の測定値を求める。つまり、体組成測定装置１０は、４端子法により人体模擬抵抗７１の値を測定する。人体模擬抵抗７１は、被測定者の腹部１００の位置（Ｐ１）および（Ｐ２）間の人体抵抗値と同等の小さな値に設定される。第１電極接触模擬抵抗７２、第２電極接触模擬抵抗７５、第３電極接触模擬抵抗７３、および第４電極接触模擬抵抗７４は、電流供給電極対５１および電圧測定電極対５２と被測定者の腹部１００との接触抵抗と同程度の値に設定される。
【００２７】
演算部１１は、基準値としての人体模擬抵抗７１の抵抗値情報を内部に保有する。演算部１１は、ＡＤ変換部３２が出力する電圧測定電極対５２を介して電圧検知部３０が検知する電圧から被測定者の内臓脂肪量を推定するとき、人体模擬抵抗７１の測定値と基準値としての抵抗値とのずれを反映して出力する。演算部１１は、推定結果を表示部１３に表示する。
【００２８】
図２を参照して、体組成測定装置１０を用いた被測定者の内臓脂肪量測定フローについて説明する。
演算部１１および被測定者は、体組成測定装置１０を用いて内臓脂肪量を測定するとき、ステップＳ１１〜Ｓ１５の各ステップを順次実行する。
【００２９】
内臓脂肪量を測定するとき、被測定者は、ステップＳ１１において、操作部１２の操作により切替部４０を制御する。切替部４０は、補正抵抗部６０を選択する。演算部１１は、ステップＳ１２において、模擬抵抗部７０の人体模擬抵抗７１の抵抗値を測定する。演算部１１は、測定した抵抗値を記憶する。被測定者は、ステップＳ１３において、操作部１２の操作により切替部４０を制御する。切替部４０は、電極部５０を選択する。電圧検知部３０は、ステップＳ１４において、被測定者の腹部１００に供給された電流により発生する電圧を検知する。演算部１１は、ステップステップＳ１５において、ＡＤ変換部３２の出力および測定した人体模擬抵抗７１の抵抗値に基づいて内臓脂肪量を推定して表示部１３に表示する。
【００３０】
本実施形態の体組成測定装置１０は、以下の効果を奏する。
（１）体組成測定装置１０は、演算部１１、操作部１２、切替部４０、電極部５０、および補正抵抗部６０を有する。切替部４０は、演算部１１および操作部１２からの制御信号に基づいて、電極部５０および補正抵抗部６０のいずれか一方を選択する。体組成測定装置１０は、電流発生部２０および電圧検知部３０を有する。補正抵抗部６０は、高精度かつ温度依存性および電圧依存性の極めて小さな抵抗体で形成される。演算部１１は、被測定者の腹部１００に電流を供給することにより発生する電圧および補正抵抗部６０が有する人体模擬抵抗７１を測定した抵抗値に基づいて内臓脂肪量を推定する。この構成によれば、体組成測定装置１０は、被測定者の腹部１００および補正抵抗部６０に対する電流供給および電圧検知を同一の回路ブロックを用いて行うことができる。体組成測定装置１０は、補正抵抗部６０を測定した抵抗値と基準値としての抵抗値とのずれを、測定に用いる回路ブロックおよび測定経路の特性ばらつきおよび特性変動として確認することができる。このため、体組成測定装置１０は、測定に用いる回路ブロックおよび測定経路の特性ばらつきおよび特性変動を考慮して、内臓脂肪量を高精度に推定することができる。
【００３１】
（２）体組成測定装置１０は、模擬抵抗部７０を有する。模擬抵抗部７０は、人体模擬抵抗７１、第１電極接触模擬抵抗７２、第２電極接触模擬抵抗７５、第３電極接触模擬抵抗７３、および第４電極接触模擬抵抗７４を有する。人体模擬抵抗７１は、被測定者の腹部１００の位置（Ｐ１）および（Ｐ２）間の人体抵抗値と同等の小さな値に設定される。第１電極接触模擬抵抗７２、第２電極接触模擬抵抗７５、第３電極接触模擬抵抗７３、および第４電極接触模擬抵抗７４は、電流供給電極対５１および電圧測定電極対５２と被測定者の腹部１００との接触抵抗と同程度の値に設定される。この構成によれば、体組成測定装置１０は、基準抵抗となる人体模擬抵抗７１の測定経路の特性を被測定者の腹部１００の測定経路の特性に近づけることができる。このため、体組成測定装置１０は、内臓脂肪量関連情報をより高精度に推定することができる。
【００３２】
（第２実施形態）
第２実施形態の体組成測定装置１０は、第１実施形態の体組成測定装置１０と比較して以下の部分において異なる構成を有し、その他の部分において同一の構成を有する。なお、第１実施形態の体組成測定装置１０と共通する構成については同一の符号を付して、その説明の一部または全部を省略する。
【００３３】
第１実施形態の体組成測定装置１０は、補正抵抗部６０が模擬抵抗部７０を有する。一方、第２実施形態の体組成測定装置１０は、補正抵抗部６０が少なくとも２つ以上の複数の模擬抵抗部を有する。
【００３４】
図３を参照して、第２実施形態の体組成測定装置１０のブロック構成を説明する。
体組成測定装置１０は、切替部４０および補正抵抗部６０を有する。切替部４０は、第５切替回路４１Ａ、第６切替回路４１Ｂ、第７切替回路４１Ｃ、および第８切替回路４１Ｄを有する。補正抵抗部６０は、複数の模擬抵抗部として、第２模擬抵抗部７０Ａおよび第３模擬抵抗部７０Ｂを有する。
【００３５】
切替部４０の第５切替回路４１Ａ、第６切替回路４１Ｂ、第７切替回路４１Ｃ、および第８切替回路４１Ｄは、制御端子（ｓ）に入力される制御信号に応じて共通端子（ｙ）を第１端子（ａ）、第２端子（ｂ）、および第３端子（ｃ）のいずれか１つに接続する。つまり、切替部４０は、演算部１１および操作部１２からの制御信号に応じて電極部５０、第２模擬抵抗部７０Ａ、および第３模擬抵抗部７０Ｂのいずれか１つを選択する。
【００３６】
第２模擬抵抗部７０Ａは、第２人体模擬抵抗７１Ａ、第５電極接触模擬抵抗７２Ａ、第６電極接触模擬抵抗７５Ａ、第７電極接触模擬抵抗７３Ａ、および第８電極接触模擬抵抗７４Ａを有する。
【００３７】
切替部４０が第２模擬抵抗部７０Ａを選択するとき、電流供給回路２２が発生する交流電流は、第５切替回路４１Ａ、第６切替回路４１Ｂ、第５電極接触模擬抵抗７２Ａ、および第６電極接触模擬抵抗７５Ａを通って第２人体模擬抵抗７１Ａに供給される。第２人体模擬抵抗７１Ａの両端に発生する電圧は、第７電極接触模擬抵抗７３Ａ、第８電極接触模擬抵抗７４Ａ、第７切替回路４１Ｃ、および第８切替回路４１Ｄを通って、増幅回路３１に入力される。増幅回路３１の出力は、ＡＤ変換部３２でディジタル信号に変換されて演算部１１に与えられる。演算部１１は、入力されたディジタル信号の値から第２人体模擬抵抗７１Ａの測定値を求める。
【００３８】
第３模擬抵抗部７０Ｂは、第３人体模擬抵抗７１Ｂ、第９電極接触模擬抵抗７２Ｂ、第１０電極接触模擬抵抗７５Ｂ、第１１電極接触模擬抵抗７３Ｂ、および第１２電極接触模擬抵抗７４Ｂを有する。第３人体模擬抵抗７１Ｂは、第２人体模擬抵抗７１Ａとは異なる抵抗値に設定される。
【００３９】
切替部４０が第３模擬抵抗部７０Ｂを選択するとき、電流供給回路２２が発生する交流電流は、第５切替回路４１Ａ、第６切替回路４１Ｂ、第９電極接触模擬抵抗７２Ｂ、および第１０電極接触模擬抵抗７５Ｂを通って第３人体模擬抵抗７１Ｂに供給される。第３人体模擬抵抗７１Ｂの両端に発生する電圧は、第１１電極接触模擬抵抗７３Ｂ、第１２電極接触模擬抵抗７４Ｂ、第７切替回路４１Ｃ、および第８切替回路４１Ｄを通って、増幅回路３１に入力される。増幅回路３１の出力は、ＡＤ変換部３２でディジタル信号に変換されて演算部１１に与えられる。演算部１１は、入力されたディジタル信号の値から第３人体模擬抵抗７１Ｂの測定値を求める。
【００４０】
補正抵抗部６０の構成は、図３に示される例に限られない。例えば、補正抵抗部６０は、複数の模擬抵抗部として、第２模擬抵抗部７０Ａおよび第３模擬抵抗部７０Ｂと同一回路構成の第４模擬抵抗部７０Ｃをさらに有する。第４模擬抵抗部７０Ｃが有する第４人体模擬抵抗７１Ｃは、第２人体模擬抵抗７１Ａおよび第３人体模擬抵抗７１Ｂと異なる抵抗値に設定される。切替部４０の切替回路は、操作部１２からの制御信号により、電極部５０、第２模擬抵抗部７０Ａ、第３模擬抵抗部７０Ｂ、および第４模擬抵抗部７０Ｃのいずれか１つが選択可能とされる。
【００４１】
図４は、第２模擬抵抗部７０Ａ、第３模擬抵抗部７０Ｂ、および第４模擬抵抗部７０Ｃにおける人体模擬抵抗７１の測定値の例を示している。図４は、人体模擬抵抗７１の測定時にＡＤ変換部３２が出力するＡＤ変換部出力値と抵抗値の関係を示すものである。図４における実線は、測定に用いる回路ブロックおよび測定経路に特性ばらつきおよび特性変動がない理想状態の特性としての理想直線１１０を示している。ＡＤ変換部出力値と抵抗値の関係は、傾斜角が４５度の比例関係となる。
【００４２】
測定に用いる回路ブロックおよび測定経路に特性ばらつきおよび特性変動があるとき、第２模擬抵抗部７０Ａ、第３模擬抵抗部７０Ｂ、および第４模擬抵抗部７０Ｃにおける基準抵抗値としての人体模擬抵抗７１の測定値は、理想直線１１０からずれる。図４に示される第１描画点１１２、第２描画点１１３、および第３描画点１１４は、第２模擬抵抗部７０Ａ、第３模擬抵抗部７０Ｂ、および第４模擬抵抗部７０Ｃにおける基準抵抗値としての人体模擬抵抗７１の測定値の例が示されている。
【００４３】
ＡＤ変換部出力軸における（ｒ１）、（ｒ２）、および（ｒ３）は、測定に用いる回路ブロックおよび測定経路が理想状態とされるときの人体模擬抵抗７１に対するＡＤ変換部出力値として示されている。ＡＤ変換部出力軸における（ｍ１）、（ｍ２）、および（ｍ３）は、測定に用いる回路ブロックおよび測定経路で人体模擬抵抗７１を測定したときのＡＤ変換部出力値を示している。ＡＤ変換部出力軸における、（ｒ１）、（ｒ２）、および（ｒ３）と（ｍ１）、（ｍ２）、および（ｍ３）との差である（ｅ１）、（ｅ２）、および（ｅ３）は、測定に用いる回路ブロックおよび測定経路の特性ばらつきおよび特性変動に起因する測定誤差である。
【００４４】
図４に示される点線（１１１）は、演算部１１において人体模擬抵抗７１の測定値から導き出した近似曲線が示されている。近似曲線１１１は、例えば、最小二乗法で導き出すことができる。図４は、人体模擬抵抗７１の抵抗値を３種類とするときの場合が示されているが、人体模擬抵抗７１の値が多いほど厳密な近似曲線を導き出すことができる。
【００４５】
体組成測定装置１０は、被測定者の腹部１００の位置（Ｐ１）および（Ｐ２）間の測定した人体抵抗値に基づいて内臓脂肪量を推定するとき、理想直線１１０と近似曲線１１１のずれを考慮する。つまり、体組成測定装置１０は、被測定者の人体抵抗の測定時にＡＤ変換部３２が出力するＡＤ変換部出力値から近似曲線１１１を用いて求めた抵抗値に基づいて内臓脂肪量を推定する。
【００４６】
本実施形態の体組成測定装置１０は、第１実施形態の体組成測定装置１０が奏する（１）および（２）と同様の効果を奏する。すなわち、内臓脂肪量を高精度に推定することができる旨の効果を奏する。また、本実施形態の体組成測定装置１０は、以下の効果を奏する。
【００４７】
（３）体組成測定装置１０は、補正抵抗部６０が少なくとも２つ以上の複数の模擬抵抗部を有する。体組成測定装置１０は、操作部１２からの制御信号に応じて複数の模擬抵抗部および電極部５０のいずれか１つを選択する切替部４０を有する。この構成によれば、演算部１１は、複数の模擬抵抗部が有する基準抵抗としての複数の人体模擬抵抗７１の測定値を用いて近似曲線を導き出すことができる。このため、体組成測定装置１０は、測定に用いる回路ブロックおよび測定経路の特性ばらつきおよび特性変動を高精度に判定することができる。このため、体組成測定装置１０は、被測定者の内臓脂肪量を推定するとき、近似曲線を用いて特性ばらつきおよび特性変動を考慮して出力することができる。このため、体組成測定装置１０は、測定に用いる回路ブロックおよび測定経路の特性ばらつき量および特性変動量が被測定者の人体抵抗の値に依存して異なる場合においても、内臓脂肪量を高精度に推定することができる。
【００４８】
（第３実施形態）
第３実施形態の体組成測定装置１０は、第２実施形態の体組成測定装置１０と比較して以下の部分において異なる構成を有し、その他の部分において同一の構成を有する。なお、第２実施形態の体組成測定装置１０と共通する構成については同一の符号を付して、その説明の一部または全部を省略する。
【００４９】
第２実施形態の体組成測定装置１０は、少なくとも２つ以上の複数の模擬抵抗部を有する。一方、第３実施形態の体組成測定装置８０は、複数の模擬抵抗部に代えて模擬抵抗部と接続可能とされる接続部を有する。
【００５０】
図５を参照して、第３実施形態の体組成測定装置８０のブロック構成を説明する。
体組成測定装置８０は、切替部４０を構成する第５切替回路４１Ａ、第６切替回路４１Ｂ、第７切替回路４１Ｃ、および第８切替回路４１Ｄの第１端子（ａ）および第３端子（ｃ）が接続される接続部８１を有する。接続部８１は、例えば、多ピンソケットのピンインサート部の構成を有する。
【００５１】
接続部８１は、補正抵抗部６０が有する多ピンソケットのソケットインサート部である抵抗接続部８２と接続可能な構成とされる。補正抵抗部６０は、少なくとも２つ以上の複数の模擬抵抗部を有する。体組成測定装置８０および補正抵抗部６０は、接続部８１および抵抗接続部８２を接続することにより図３に示される第２実施形態の体組成測定装置１０と同一の構成とされる。体組成測定装置８０は、接続部８１を介して補正抵抗部６０を接続することにより、第２実施形態の体組成測定装置１０と同一の動作を行うことができる。
【００５２】
体組成測定装置８０は、被測定者の人体抵抗測定に用いる回路ブロックおよび測定経路の特性ばらつきおよび特性変動を確認したいとき、接続部８１を介して補正抵抗部６０と接続される。体組成測定装置８０および補正抵抗部６０は、第２実施形態の体組成測定装置１０の構成とされる。体組成測定装置８０は、接続された補正抵抗部６０の模擬抵抗を測定することにより被測定者の人体抵抗測定に用いる回路ブロックおよび測定経路の特性ばらつきおよび特性変動を確認する。体組成測定装置８０は、補正抵抗部６０が切り離された構成で被測定者の内臓脂肪量を測定することができる。体組成測定装置８０は、回路ブロックおよび測定経路の特性ばらつきおよび特性変動の値を体組成測定装置８０を用いた被測定者の体組成測定に反映させる。
【００５３】
被測定者の人体抵抗測定に用いる回路ブロックおよび測定経路の特性ばらつきおよび特性変動は、例えば、以下の状況で確認すると効果的である。確認時期は、体組成測定装置８０の製造工程における出荷検査時とされる。または、確認時期は、体組成測定装置８０の不使用期間が長期間に及んだ後の使用時とされる。または、確認時期は、温度および湿度などの体組成測定装置８０の使用環境条件が変化したときとされる。
【００５４】
図６（ａ）を参照して、被測定者の人体抵抗測定に用いる回路ブロックおよび測定経路の特性ばらつきおよび特性変動を体組成測定装置８０を用いた被測定者の体組成測定に反映させる、体組成測定方法の補正フローについて説明する。
【００５５】
演算部１１および操作者は、体組成測定装置８０および補正抵抗部６０を用いて体組成測定方法を補正するとき、ステップＳ２１〜Ｓ２５の各ステップを順次実行する。
体組成測定方法を補正するとき、操作者は、ステップＳ２１において、補正抵抗部６０を接続する。操作者は、ステップＳ２２において、操作部１２の操作により切替部４０を制御する。切替部４０は、補正抵抗部６０を選択する。演算部１１は、ステップＳ２３において、補正抵抗部６０が有する人体模擬抵抗７１の抵抗値を測定する。演算部１１は、ステップステップＳ２４において、補正抵抗部６０が有する人体模擬抵抗７１の測定結果を体組成測定装置８０を用いた被測定者の体組成測定方法に反映させる。使用者は、ステップＳ２５において、補正抵抗部６０を切離す。
【００５６】
図６（ｂ）を参照して、体組成測定方法に補正抵抗部６０が有する人体模擬抵抗７１の測定結果が反映された、被測定者の内臓脂肪量測定フローについて説明する。
演算部１１および被測定者は、体組成測定装置８０を用いて内臓脂肪量を測定するとき、ステップＳ３１およびＳ３２のステップを実行する。
【００５７】
内臓脂肪量を測定するとき、電圧検知部３０は、ステップＳ３１において、被測定者の腹部１００に供給された電流により発生する電圧を検知する。演算部１１は、ステップステップＳ３２において、補正抵抗部６０の測定結果が反映された体組成測定方法に基づいて内臓脂肪量を推定し表示部１３に表示する。
【００５８】
なお、取り外し可能の抵抗接続部８２は、電極部５０に取り付けられるようにしてもよい。
本実施形態の体組成測定装置８０は、第１および第２実施形態の体組成測定装置１０が奏する（１）〜（３）と同様の効果を奏する。また、本実施形態の体組成測定装置８０は、以下の効果を奏する。
【００５９】
（４）体組成測定装置８０は、電流発生部２０、電圧検知部３０、演算部１１、操作部１２、切替部４０、電極部５０、および接続部８１を有する。体組成測定装置８０の接続部８１は、補正抵抗部６０との接続および切離しが可能な構成とされる。この構成によれば、体組成測定装置８０は、接続部８１に補正抵抗部６０を接続することにより、被測定者の人体抵抗測定に用いる回路ブロックおよび測定経路を用いて補正抵抗部６０が有する抵抗を測定することができる。このため、体組成測定装置８０は、被測定者の人体抵抗測定に用いる回路ブロックおよび測定経路の特性ばらつきおよび特性変動を確認することができる。このため、体組成測定装置８０は、体組成測定方法に補正抵抗部６０が有する抵抗の測定結果を被測定者の体組成測定方法に反映することができる。また、体組成測定装置８０は、接続部８１から補正抵抗部６０を切離すことにより、簡単な構成で被測定者の内臓脂肪量を測定することができる。また、体組成測定装置８０は、補正抵抗部６０が有する抵抗の測定結果が反映され体組成測定方法を用いて、簡単な構成で被測定者の内臓脂肪量の測定を高精度に推測することができる。
【００６０】
（第４実施形態）
第４実施形態の体組成測定装置１０は、第１実施形態の体組成測定装置１０と比較して以下の部分において異なる構成を有し、その他の部分において同一の構成を有する。なお、第１実施形態の体組成測定装置１０と共通する構成については同一の符号を付して、その説明の一部または全部を省略する。
【００６１】
第１実施形態の体組成測定装置１０は、第１切替回路４０Ａ、第２切替回路４０Ｂ、第３切替回路４０Ｃ、および第４切替回路４０Ｄの第２端子（ｂ）に接続された電流供給電極対５１および電圧測定電極対５２を有する。一方、第２実施形態の体組成測定装置１０は、第１切替回路４０Ａおよび第２切替回路４０Ｂの両方に接続された電流供給電極対５１を有する。電流供給電極対５１は、第１切替回路４０Ａの第２端子（ｂ）および第２切替回路４０Ｂの第１端子（ａ）に接続される。
【００６２】
図７を参照して、第４実施形態の体組成測定装置１０における電流発生部２０、切替部４０、および電極部５０のブロック構成について説明する。
切替部４０の第１切替回路４０Ａおよび第２切替回路４０Ｂは、共通端子（ｙ）が電流発生部２０の電流供給回路２２に接続される。電流供給電極対５１は、第１切替回路４０Ａおよび第２切替回路４０Ｂのそれぞれに接続される。電流供給電極対５１の第１電流供給電極５１Ａは、第１切替回路４０Ａの第２端子（ｂ）および第２切替回路４０Ｂの第１端子（ａ）に接続される。第２電流供給電極５１Ｂは、第１切替回路４０Ａの第１端子（ａ）および第２切替回路４０Ｂの第２端子（ｂ）に接続される。
【００６３】
体組成測定装置１０を用いて被測定者の腹部１００の人体抵抗を測定するとき、電流供給回路２２は、交流電流を電流供給電極対５１に供給する。
図８を参照して、体組成測定装置１０の概略構成について説明する。
【００６４】
体組成測定装置１０は、被測定者の腹部１００に装着するベルト状の構成を有する。体組成測定装置１０は、第１留具１５Ａおよび第２留具１５Ｂを有する。第１留具１５Ａおよび第２留具１５Ｂが被測定者の腹部周りで結合されるとき、体組成測定装置１０は、被測定者の腹部１００に装着される。
【００６５】
体組成測定装置１０は、電流発生部２０、電圧検知部３０、演算部１１、操作部１２、および切替部４０を含む回路ブロックが実装される回路基板９０を有する。体組成測定装置１０は、電流供給電極対５１を構成する第１電流供給電極５１Ａおよび第２電流供給電極５１Ｂ、および電圧測定電極対５２を構成する第１電圧測定電極５２Ａおよび第２電圧測定電極５２Ｂを有する。第１電流供給電極５１Ａは、第１接続ケーブル９１と回路基板配線９５とを有する第１配線部、および第２接続ケーブル９２と回路基板配線９５を有する第２配線部により回路基板９０に実装された回路ブロックと接続される。第２電流供給電極５１Ｂは、第３接続ケーブル９３と回路基板配線９５とを有する第３配線部、および第４接続ケーブル９４と回路基板配線９５とを有する第４配線部により回路基板９０に実装された回路ブロックと接続される。
【００６６】
電流供給電極対５１および電圧測定電極対５２は、体組成測定装置１０が被測定者の腹部１００に装着されるとき、被測定者の体組成測定部と接触する。体組成測定装置１０を用いて被測定者の内臓脂肪量を測定するとき、電流供給回路２２が供給する交流電流は、第１切替回路４０Ａおよび第２切替回路４０Ｂを介して第１電流供給電極５１Ａおよび第２電流供給電極５１Ｂに供給される。第１切替回路４０Ａと第１電流供給電極５１Ａとの接続径路と、第２切替回路４０Ｂと第２電流供給電極５１Ｂとの接続径路とに特性インピーダンスの差があるとき、接続径路における電圧降下の差により被測定者の人体抵抗測定値に誤差を生じる。
【００６７】
体組成測定装置１０の第１切替回路４０Ａおよび第２切替回路４０Ｂは、第１配線部と第２配線部、および第３配線部と第４配線部により第１電流供給電極５１Ａおよび第２電流供給電極５１Ｂの両方に接続される。体組成測定装置１０を用いて被測定者の内臓脂肪量を測定するとき、第１切替回路４０Ａおよび第２切替回路４０Ｂは、演算部１１からの制御に基づいて、所定周期で第１切替回路４０Ａおよび第２切替回路４０Ｂの選択状態を切替える。つまり、体組成測定装置１０は、電流供給電極対５１に供給する電流の径路として、第１配線部と第２配線部、および第３配線部と第４配線部を所定周期で切替える。第１配線部と第２配線部は、略同一配線長および略同一配線径路であり、略対称とされる。また、第３配線部と第４配線部は、略同一配線長および略同一配線径路であり、略対称とされる。
【００６８】
なお、第３切替回路４０Ｃおよび第４切替回路４０Ｄと、第１電圧測定電極５２Ａおよび第２電圧測定電極５２Ｂとの接続関係は、第１切替回路４０Ａおよび第２切替回路４０Ｂと、第１電流供給電極５１Ａおよび第２電流供給電極５１Ｂとの間と同様とされる。
【００６９】
本実施形態の体組成測定装置１０は、第１および第２実施形態の体組成測定装置１０が奏する（１）〜（３）と同様の効果を奏する。また、本実施形態の体組成測定装置１０は、以下の効果を奏する。
【００７０】
（５）体組成測定装置１０は、切替部４０に第１切替回路４０Ａおよび第２切替回路４０Ｂを有する。体組成測定装置１０は、第１電流供給電極５１Ａおよび第２電流供給電極５１Ｂを有する。第１切替回路４０Ａおよび第２切替回路４０Ｂは、第１配線部と第４配線部、および第２配線部と第３配線部により第１電流供給電極５１Ａおよび第２電流供給電極５１Ｂの両方に接続される。体組成測定装置１０を用いて被測定者の内臓脂肪量を測定するとき、第１切替回路４０Ａおよび第２切替回路４０Ｂは、演算部１１からの制御に基づいて、所定周期で第１切替回路４０Ａおよび第２切替回路４０Ｂの選択状態を切替える。この構成によれば、体組成測定装置１０は、第１電流供給電極５１Ａおよび第２電流供給電極５１Ｂに供給する電流の径路として、第１配線部と第３配線部、および第２配線部と第４配線部を所定周期で切替える。このため、体組成測定装置１０は、第１切替回路４０Ａと第１電流供給電極５１Ａとの接続径路と、第２切替回路４０Ｂと第２電流供給電極５１Ｂとの接続径路の特性インピーダンスを揃えることができる。このため、体組成測定装置１０は、被測定者の人体抵抗を高精度に測定することができる。
【００７１】
（６）体組成測定装置１０は、第１切替回路４０Ａが第１接続ケーブル９１と回路基板配線９５とを有する第１配線部と、第４接続ケーブル９４と回路基板配線９５とを有する第４配線部により第１電流供給電極５１Ａおよび第２電流供給電極５１Ｂに接続される。体組成測定装置１０は、第２切替回路４０Ｂが第２接続ケーブル９２と回路基板配線９５とを有する第２配線部と、第３接続ケーブル９３と回路基板配線９５とを有する第３配線部により第１電流供給電極５１Ａおよび第２電流供給電極５１Ｂに接続される。第１配線部と第２配線部、および第３配線部と第４配線部は、略同一配線長および略同一配線径路であり、略対称とされる。体組成測定装置１０を用いて被測定者の内臓脂肪量を測定するとき、第１切替回路４０Ａおよび第２切替回路４０Ｂは、演算部１１からの制御に基づいて、所定周期で第１切替回路４０Ａおよび第２切替回路４０Ｂの選択状態を切替える。この構成によれば、体組成測定装置１０は、第１電流供給電極５１Ａおよび第２電流供給電極５１Ｂに供給する電流の径路として、第１配線部と第３配線部、および第２配線部と第４配線部を所定周期で切替える。このため、体組成測定装置１０は、第１配線部〜第４配線部の特性インピーダンスが変動するとき、その変動をキャンセルして被測定者の内臓脂肪量を測定することができる。このため、体組成測定装置１０は、被測定者の人体抵抗をより高精度に測定することができる。
【００７２】
（第５実施形態）
第５実施形態の体組成測定装置１０は、第１および第２実施形態の体組成測定装置１０と比較して以下の部分において異なる構成を有し、その他の部分において同一の構成を有する。なお、第１および第２実施形態の体組成測定装置１０と共通する構成については同一の符号を付して、その説明の一部または全部を省略する。
【００７３】
第１および第２実施形態の体組成測定装置１０は、電流供給電極対５１および電圧測定電極対５２を有する。一方、第５実施形態の体組成測定装置１０は、電流供給電極対５１および電圧測定電極対５２が電気的に分離された複数の分離領域を有する。
【００７４】
図９（ａ）を参照して、第５実施形態の体組成測定装置１０における電流発生部２０、電圧検知部３０、切替部４０、および電極部５０のブロック構成について説明する。
体組成測定装置１０の切替部４０は、第５切替回路４１Ａ、第６切替回路４１Ｂ、第７切替回路４１Ｃ、および第８切替回路４１Ｄを有する。電極部５０は、第１電流供給電極５１Ａを有する。
【００７５】
切替部４０の第５切替回路４１Ａ、第６切替回路４１Ｂ、第７切替回路４１Ｃ、および第８切替回路４１Ｄは、制御端子（ｓ）に入力される制御信号に応じて共通端子（ｙ）を第１端子（ａ）、第２端子（ｂ）、および第３端子（ｃ）のいずれか１つに接続する。第１電流供給電極５１Ａは、電気的に分離された領域として第１領域（ａ）、第２領域（ｂ）、および第３領域（ｃ）を有する。第１電流供給電極５１Ａを被測定者に接触させるとき、第１電流供給電極５１Ａおよび被測定者の人体抵抗は図９（ｂ）に示される等価回路を構成する。図９（ｂ）における（Ｒｃ１）、（Ｒｃ２）、および（Ｒｃ３）は、第１電流供給電極５１Ａの第１領域（ａ）、第２領域（ｂ）、および第３領域（ｃ）と被測定者との接触抵抗が示されている。図９（ｂ）における（Ｒｐ１）は、第１電流供給電極５１Ａの第１領域（ａ）と第３領域（ｃ）との間に位置する被測定者の人体抵抗が示されている。図９（ｂ）における（Ｒｐ２）は、第１電流供給電極５１Ａの第１領域（ａ）と第２領域（ｂ）との間に位置する被測定者の人体抵抗が示されている。図９（ｂ）における（Ｒｐ３）は、第１電流供給電極５１Ａの第２領域（ｂ）と第３領域（ｃ）との間に位置する被測定者の人体抵抗が示されている。
【００７６】
第１電流供給電極５１Ａの第１領域（ａ）と第２領域（ｂ）との間の抵抗値（Ｒ１２）、第２領域（ｂ）と第３領域（ｃ）との間の抵抗値（Ｒ２３）、および第１領域（ａ）と第３領域（ｃ）との間の抵抗値（Ｒ１３）は、以下の式（１）〜（３）で示される値である。したがって、接触抵抗（Ｒｃ２）は、式（４）で示されるように、抵抗値（Ｒ１２）、（Ｒ２３）、および（Ｒ１３）を測定することにより求めることができる。
【００７７】
Ｒ１２＝Ｒｃ１＋Ｒｃ２＋Ｒｐ２                                …（１）
Ｒ２３＝Ｒｃ２＋Ｒｃ３＋Ｒｐ３                                …（２）
Ｒ１３＝Ｒｃ１＋Ｒｃ３＋Ｒｐ１＝Ｒｃ１＋Ｒｃ３＋Ｒｐ２＋Ｒｐ３…（３）
Ｒｃ２＝（Ｒ１２＋Ｒ２３−Ｒ１３）／２                        …（４）
体組成測定装置１０は、第５切替回路４１Ａ、第６切替回路４１Ｂ、第７切替回路４１Ｃ、および第８切替回路４１Ｄを切替えることにより、図９（ｂ）に示される抵抗値（Ｒ１２）、（Ｒ２３）、および（Ｒ１３）を測定することができる。
【００７８】
抵抗値（Ｒ１２）を測定するとき、操作部１２からの制御信号に応じて第５切替回路４１Ａ、第６切替回路４１Ｂ、第７切替回路４１Ｃ、および第８切替回路４１Ｄは、第２端子（ｂ）を選択する。電流供給回路２２からの供給電流は、第５切替回路４１Ａおよび第６切替回路４１Ｂを介して、第１電流供給電極５１Ａの第１領域（ａ）と第２領域（ｂ）に供給される。第１電流供給電極５１Ａの第１領域（ａ）と第２領域（ｂ）に発生する電圧は、第７切替回路４１Ｃおよび第８切替回路４１Ｄを介して、増幅回路３１に与えられる。演算部１１は、増幅回路３１の出力に基づいて抵抗値を判定する。演算部１１は、同様の手順で抵抗値（Ｒ２３）および抵抗値（Ｒ１３）を判定することができる。
【００７９】
体組成測定装置１０は、第２電流供給電極５１Ｂにおける接触抵抗を第１電圧測定電極５２Ａと同様に求めることができる。体組成測定装置１０は、第２電流供給電極５１Ｂを電気的に分離された第１領域（ａ）、第２領域（ｂ）、および第３領域（ｃ）に分割する。体組成測定装置１０は、第２電流供給電極５１Ｂと切替部４０との接続を、第１電流供給電極５１Ａと切替部４０との接続と同様として接触抵抗を求める。第１電圧測定電極５２Ａおよび第２電圧測定電極５２Ｂにおいても、同様の分割構成および同様の切替部４０との接続とすることにより、体組成測定装置１０は、それぞれの接触抵抗を求めることができる。
【００８０】
本実施形態の体組成測定装置１０は、第１および第２実施形態の体組成測定装置１０が奏する（１）〜（３）と同様の効果を奏する。また、本実施形態の体組成測定装置１０は、以下の効果を奏する。
【００８１】
（７）体組成測定装置１０の電流供給電極対５１および電圧測定電極対５２は、電気的に分離された領域として第１領域（ａ）、第２領域（ｂ）、および第３領域（ｃ）を有する。切替部４０の第５切替回路４１Ａ、第６切替回路４１Ｂ、第７切替回路４１Ｃ、および第８切替回路４１Ｄは、制御端子（ｓ）に入力される制御信号に応じて共通端子（ｙ）を第１端子（ａ）、第２端子（ｂ）、および第３端子（ｃ）のいずれか１つに接続する。この構成によれば、体組成測定装置１０は、電気的に分離された複数の分割領域間の抵抗を測定することができる。このため、演算部１１は、電流供給電極対５１および電圧測定電極対５２の接触抵抗を求めることができる。このため、体組成測定装置１０は、演算部１１により求めた接触抵抗が想定範囲外の値を示すとき、使用者に対して警告を発することができる。このため、使用者は、測定状態が異常であることを認識することができる。
【００８２】
（その他の実施形態）
本発明は、第１〜第５実施形態以外の実施形態を含む。以下、本発明のその他の実施形態としての第１〜第５実施形態の変形例を示す。なお、以下の各変形例は、互いに組み合わせることもできる。
【００８３】
・第１〜第２実施形態の体組成測定装置１０は、切替部４０が切替回路を有する。ただし、切替部４０の構成は第１〜第２実施形態に示される構成に限られない。例えば、変形例の体組成測定装置１０は、切替部４０がマルチプレクサを有する。または、切替部４０がアナログスイッチを有する。ようするに、切替部４０は、制御信号に応じて接続関係が変更される構成であれば良い。
【００８４】
・第１〜第２実施形態の体組成測定装置１０は、操作部１２が複数の操作スイッチを備えている。ただし、操作部１２の構成は第１〜第２実施形態に示される構成に限られない。例えば、変形例の体組成測定装置１０は、操作部１２が自動制御を行うシーケンサーによる構成される。
【００８５】
・第１〜第２実施形態の体組成測定装置１０は、電流供給電極対５１および電圧測定電極対５２が被測定者の腹部１００の周囲に接触され、被測定者の腹部１００の人体抵抗を測定する。ただし、電流供給電極対５１および電圧測定電極対５２の接触箇所は第１〜第２実施形態に示される箇所に限られない。例えば、変形例の体組成測定装置１０は、電流供給電極対５１および電圧測定電極対５２のそれぞれの対をなす電極が被測定者の体幹部において所定値以上の間隔を有して接触される。体組成測定装置１０は、被測定者の皮下脂肪を測定する。
【００８６】
・第３実施形態の体組成測定装置８０は、接続部として多ピンソケットのピンインサート部の構成である接続部８１を有し、多ピンソケットのソケットインサート部の構成である抵抗接続部８２を有する補正抵抗部６０と接続可能とされる。ただし、接続部は第３実施形態に示される構成に限られない。例えば、変形例の体組成測定装置１０は、接続部として、体組成測定装置８０が有する回路ブロックが実装された回路基板の配線パターンの一部として形成された接続領域を有する。体組成測定装置８０は、抵抗が接続領域に押圧により接触されることによって補正抵抗部６０と接続可能とされる。
【００８７】
・第２実施形態の体組成測定装置１０は、補正抵抗部６０が第２模擬抵抗部７０Ａ、第３模擬抵抗部７０Ｂ、および第４模擬抵抗部７０Ｃを有する。ただし、補正抵抗部６０の構成は第２実施形態に示される構成に限られない。例えば、変形例の体組成測定装置１０は、補正抵抗部６０が４種類の模擬抵抗部を有する。または、４種類以上の模擬抵抗部を有する。
【００８８】
・第１〜第５実施形態の体組成測定装置１０および体組成測定装置８０は、電極部５０が電流供給電極対５１および電圧測定電極対５２を有する。ただし、電極部５０の構成は第１〜第５実施形態に示される箇所に限られない。例えば、変形例の体組成測定装置１０は、表面に粘着性のゲルが付着された電流供給粘着性パッド対および電圧測定電極対を有する。または、電流供給粘着性パッド対および電圧測定粘着性パッド対を有する。
【００８９】
（課題を解決するための手段に関する付記）
課題を解決するための手段は、下記の各付記手段のとおり記述することもできる。
（１）付記手段１は、「前記模擬抵抗部は、前記人体模擬抵抗の両端に前記第１電極接触模擬抵抗、前記第３電極接触模擬抵抗および前記第２電極接触模擬抵抗、前記第４電極接触模擬抵抗が接続される請求項５に記載の体組成測定装置」を含む。
【００９０】
（２）付記手段２は、「前記演算部は、前記電圧検知部が検知する前記電圧測定電極対に発生する電圧および近似曲線に基づいて前記体組成関連情報を出力する請求項５に記載の体組成測定装置」を含む。
【符号の説明】
【００９１】
１０…体組成測定装置、１１…演算部、１２…操作部、２０…電流発生部、３０…電圧検知部、４０…切替部、４０Ａ…第１切替回路、４０Ｂ…第２切替回路、５１…電流供給電極対、５１Ａ…第１電流供給電極、５１Ｂ…第２電流供給電極、５２…電圧測定電極対、６０…補正抵抗部、７０…模擬抵抗部、７１…人体模擬抵抗、７２…第１電極接触模擬抵抗、７３…第３電極接触模擬抵抗、７４…第４電極接触模擬抵抗、７５…第２電極接触模擬抵抗、８０…体組成測定装置、８１…接続部、１００…腹部。
【図１】
2014110853.tif 000003
【図２】
2014110853.tif 000004
【図３】
2014110853.tif 000005
【図４】
2014110853.tif 000006
【図５】
2014110853.tif 000007
【図６】
2014110853.tif 000008
【図７】
2014110853.tif 000009
【図８】
2014110853.tif 000010
【図９】
2014110853.tif 000011